(57)【特許請求の範囲】
【請求項１】
下部鏡板（１２）に取付けられた下部鏡板ペタル（１６）であって、下部鏡板ペタルはシュラウド支持体フランジ（２４）、原子炉容器側壁フランジ（１８）、及びシュラウド支持体フランジと側壁フランジとの間に広がる原子炉インターナルポンプデッキ（２８）を含み、かつポンプデッキはそれを貫通して延びる少なくとも１つの開口（３０）を有するような下部鏡板ペタル（１６）と、
ポンプデッキ開口のそれぞれを貫通して配置されかつインペラ（５２）及びディフューザ（５６）を含む少なくとも１基の原子炉インターナルポンプ（３２）であって、ディフューザハウジング（５８）を含み、かつハウジングは（ａ）ハウジングの長手方向に沿ってそれを貫通する複数の流路（６２）を規定する外壁（６０）及び複数の羽根（６１）と、（ｂ）それぞれが隣接するシールリングから離隔しかつハウジング外壁の外面（７４）を取巻いて円周方向に延びる少なくとも２個のシールリング（８６、８８）と、（ｃ）外壁を通ってディフューザハウジングの長手方向流路内に延びかつそれぞれが２個のシールリング間の区域内に配置された少なくとも１つの横穴（９４）とを含むような原子炉インターナルポンプ（３２）と、
下部鏡板ペタルの外面（１００）からポンプデッキを通って少なくとも１つのポンプデッキ開口の内面（９２）まで延びかつそれぞれが対応する横穴を含む区域と整列しているような少なくとも１つの圧力タップ穴（９８）と
を含む、原子炉用の原子炉圧力容器（１０）。
【請求項２】
原子炉圧力容器の側壁（１８）を貫通して延びる圧力タップ穴（１０２）を更に含む請求項１記載の原子炉圧力容器（１０）。
【請求項３】
ディフューザハウジング（５８）が４個のシールリング（８４〜９０）を含み、シールリングのそれぞれが隣接するシールリングから離隔していると共にハウジングを取巻いて円周方向に延びており、かつ１つの横穴（９４）が第２のシールリングと第３のシールリングとの間の区域内に配置されている請求項２記載の原子炉圧力容器（１０）。
【請求項４】
ディフューザハウジング（５８）が８個のシールリング（１４８〜１６２）を含み、シールリングのそれぞれが隣接するシールリングから離隔していると共にハウジングを取巻いて円周方向に延びており、ディフューザハウジング（５８）が第１の横穴（１６４）及び第２の横穴（１６６）を含み、第１の横穴が第２のシールリング（１５０）と第３のシールリング（１５２）との間の区域内に配置され、かつ第２の横穴が第６のシールリング（１５８）と第７のシールリング（１６０）との間の区域内に配置されている請求項１記載の原子炉圧力容器（１０）。
【請求項５】
ディフューザハウジング（５８）がハウジングの外面（７４）に設けられた少なくとも２つの円周方向溝（７８、８０）を更に含み、かつ溝のそれぞれがシールリングを受入れるように寸法決定されている請求項１記載の原子炉圧力容器（１０）。
【請求項６】
側壁（１８）、シュラウド（２０）及び下部鏡板ペタル（１６）を有する原子炉圧力容器（１０）を含む沸騰水型原子炉であって、下部鏡板ペタルは外面（１００）、シュラウド支持体フランジ（２４）、側壁フランジ、及びシュラウド支持体フランジと側壁フランジとの間に広がる原子炉インターナルポンプデッキ（２８）を含み、かつポンプデッキは原子炉インターナルポンプを受入れるように寸法決定されかつそれぞれに内面（９２）を有する少なくとも１つの開口（３０）を有するような沸騰水型原子炉内の原子炉インターナルポンプ（３２）用の流量測定装置において、
（Ａ）ポンプデッキ開口を貫通するように形成されかつインペラ（５２）及びディフューザ（５６）を含む原子炉インターナルポンプであって、ディフューザハウジング（５８）を含み、かつディフューザハウジングは（ａ）ハウジングの長手方向に沿ってそれを貫通する複数の流路（６２）を規定する外壁（６０）及び複数の羽根（６１）と、（ｂ）それぞれが隣接するシールリングから離隔しかつハウジング外壁の外面（７４）を取巻いて円周方向に延びる少なくとも２個のシールリング（８６、８８）と、（ｃ）外壁を通ってディフューザハウジングの長手方向流路内に延びかつそれぞれが２個の互いに隣接したシールリング間の区域内に配置された少なくとも１つの横穴（９４）とを含むような原子炉インターナルポンプと、
（Ｃ）下部鏡板ペタルの外面からポンプデッキを通ってポンプデッキ開口の内面まで延びるように形成されかつポンプをポンプデッキ開口内に配置した場合にそれぞれが対応する横穴を含むディフューザハウジング区域と整列するように形成された少なくとも１つの圧力タップ穴（９８）と
を含む、流量測定装置。
【請求項７】
原子炉圧力容器（１０）の側壁（１８）を貫通して延びるように形成された圧力タップ穴（１０２）を更に含む請求項６記載の流量測定装置。
【請求項８】
ディフューザハウジング（５８）が４個のシールリング（８４〜９０）を含み、シールリングのそれぞれが隣接するシールリングから離隔していると共にハウジングを取巻いて円周方向に延びており、かつ１つの横穴（９４）が第２のシールリングと第３のシールリングとの間の区域内に配置されている請求項７記載の流量測定装置。
【請求項９】
ディフューザハウジング（５８）が８個のシールリング（１４８〜１６２）を含み、シールリングのそれぞれが隣接するシールリングから離隔していると共にハウジングを取巻いて円周方向に延びており、ディフューザハウジング（５８）が第１の横穴（１６４）及び第２の横穴（１６６）を含み、第１の横穴が第２のシールリング（１５０）と第３のシールリング（１５２）との間の区域内に配置され、かつ第２の横穴が第６のシールリング（１５８）と第７のシールリング（１６０）との間の区域内に配置されている請求項６記載の流量測定装置。
【請求項１０】
ディフューザハウジング（５８）がハウジングの外面（７４）に設けられた少なくとも２つの円周方向溝（７８、８０）を更に含み、かつ溝のそれぞれがシールリングを受入れるように寸法決定されている請求項６記載の流量測定装置。
【請求項１１】
側壁（１８）、シュラウド（２０）及び下部鏡板ペタル（１６）を有する原子炉圧力容器（１０）を含む沸騰水型原子炉であって、下部鏡板ペタルは外面（１００）、シュラウド支持体フランジ（２４）、側壁フランジ、及びシュラウド支持体フランジと外壁フランジ（６０）との間に広がる原子炉インターナルポンプデッキ（２８）を含み、ポンプデッキは原子炉インターナルポンプ（３２）を受入れるように寸法決定されかつそれぞれに内面（９２）を有する少なくとも１つの開口（３０）を有し、原子炉インターナルポンプはポンプデッキ開口を貫通するように形成されかつインペラ（５２）とハウジング（５８）を含むディフューザ（５６）とを含むような沸騰水型原子炉内の原子炉インターナルポンプ（２８）の流量を測定するための方法において、
前記ディフューザハウジング（５８）は、ハウジングの長手方向に沿ってそれを貫通する複数の流路（６２）を規定する外壁（６０）及び複数の羽根（６１）と、それぞれが隣接するシールリングから離隔しかつハウジング外壁の外面（７４）を取巻いて円周方向に延びる少なくとも２個のシールリング（８６、８８）と、外壁を通ってディフューザハウジングの長手方向流路（６２）内に延びかつ２個の互いに隣接したシールリング間の区域内に配置された第１の横穴（９４）とを含み、原子炉圧力容器（１０）は、下部鏡板ペタル（１６）の外面からポンプデッキ（２８）を通ってポンプデッキ開口（３０）の内面（９２）まで延びるように形成されかつ第１の横穴を含むディフューザハウジング区域と整列するように形成された第１の圧力タップ穴（９８）を更に含む場合において、前記方法は、
ポンプディフューザ内の第１の測定点における圧力を測定する工程と、第１の測定点よりも上流側にある第２の測定点における圧力を測定する工程と、第１の測定点と第２の測定点との間の差圧を計算する工程と、計算された差圧及び差圧と流量とを関係づける所定の較正曲線を用いて原子炉インターナルポンプを通る流量を求める工程とを含み、
ポンプディフューザ内の第１の測定点における圧力を測定する工程が、第１の圧力タップ穴を用いて圧力測定を行うことから成ることを特徴とする、方法。
【請求項１２】
原子炉圧力容器（１０）が原子炉圧力容器の側壁（１８）を貫通して延びる第２の圧力タップ穴（１０２）を更に含む場合において、第１の測定点よりも上流側にある第２の測定点における圧力を測定する工程が第２の圧力タップ穴を用いて圧力測定を行うことから成る請求項１１記載の方法。
【請求項１３】
ディフューザハウジング（５８）が外壁（６０）を通ってディフューザハウジングの長手方向流路（６２）内に延びる第２の横穴（１６６）を更に含み、第２の横穴は第１の横穴（１６４）よりも上流側かつ２個の互いに隣接したシールリング間の区域内に配置されており、原子炉圧力容器が下部鏡板ペタル（１６）の外面（１００）からポンプデッキを通ってポンプデッキ開口（３０）の内面（９２）まで延びるように形成されかつ第２の横穴を含むディフューザハウジング区域と整列するように形成された第２の圧力タップ穴（１７４）を更に含む場合において、第１の測定点よりも上流側にある第２の測定点における圧力を測定する工程が第２の圧力タップ穴を用いて圧力測定を行うことから成る請求項１１記載の方法。
【請求項１４】
ディフューザハウジング（５８）が４個のシールリング（８４〜９０）を含み、シールリングのそれぞれが隣接するシールリングから離隔していると共にハウジングを取巻いて円周方向に延びており、かつ第１の横穴（９８）が第２のシールリングと第３のシールリングとの間の区域内に配置されている請求項１１記載の方法。
【請求項１５】
ディフューザハウジング（５８）が８個のシールリング（１４８〜１６２）を含み、シールリングのそれぞれが隣接するシールリングから離隔していると共にハウジングを取巻いて円周方向に延びており、かつ第１の横穴が第２のシールリングと第３のシールリングとの間の区域内に配置されている請求項１３記載の方法。
【請求項１６】
ディフューザハウジング（５８）が８個のシールリング（１４８〜１６２）を含み、シールリングのそれぞれが隣接するシールリングから離隔していると共にハウジングを取巻いて円周方向に延びており、第１の横穴が第２のシールリング（１５０）と第３のシールリング（１５２）との間の区域内に配置され、かつ第２の横穴が第６のシールリング（１５８）と第７のシールリング（１６０）との間の区域内に配置されている請求項１３記載の方法。
【請求項１７】
ディフューザハウジング（５８）がハウジングの外面（７４）に設けられた少なくとも２つの円周方向溝（７８、８０）を更に含み、かつ溝のそれぞれがシールリングを受入れるように寸法決定されている請求項１１記載の方法。
【発明の詳細な説明】
【０００１】
【発明の属する技術分野】
本発明は原子炉に関するものであって、更に詳しく言えば、沸騰水型原子炉内の原子炉インターナルポンプの流量測定に関する。
【０００２】
【従来の技術】
沸騰水型原子炉（ＢＷＲ）の原子炉圧力容器（ＲＰＶ）は、通例、概して円筒形の形状を有していて、それの両端たとえば下部鏡板及び着脱自在の上部鏡板によって閉鎖されている。ＲＰＶの内部には、通例、炉心支持板の上方に離隔して上部案内板が配置されている。通例、炉心支持板を取巻いて炉心シュラウド（又は単に「シュラウド」）が配置され、かつシュラウド支持構造物によって支持されている。詳しく述べれば、シュラウドは概して円筒形の形状を有し、炉心支持板及び上部案内板を包囲している。炉心の中心軸はシュラウドの中心軸と実質的に合致している。シュラウドの両端が開いている結果、水はシュラウドの下端から流入して上方にながれ、シュラウドの上端から流出する。シュラウド、上部案内板及び炉心支持板により、炉心の燃料バンドルの横方向運動は制限される。
【０００３】
ＲＰＶは、シュラウドと原子炉圧力容器側壁との間の環状空間内に配置された原子炉インターナルポンプ（ＲＩＰ）も含んでいる。原子炉インターナルポンプは、ＲＰＶ内で水を循環させるために役立つ。通例、ＲＩＰの流量は流体温度、ポンプ速度、及び４対の測定点間の差圧によって求められる。一方の測定点はＲＩＰの上流側に位置し、他方の測定点はＲＩＰの下流側に位置している。差圧と流量との相間関係は、試験ループでシミュレートされた測定結果に基づいている。
【０００４】
上流側の圧力測定点は、ＲＩＰの上方の環状空間内に位置している。この領域内における水の圧力勾配及び速度勾配は小さい。すなわち、水平のＸ及びＹ方向に沿った位置の変化に伴う圧力変化は無視できる程度であり、鉛直方向の圧力変化は静水頭の変化に対応している。これは、測定される差圧が上流側の測定点の正確な位置に影響されないことを意味している。しかるに、下流側の測定点に関しては事情が全く異なる。
【０００５】
ＲＩＰディフューザを出る流れは高速であって、渦巻きパターンを示す。かかる流れはＲＩＰのインペラ軸及びノズルの回りを流れなければならないと共に、下部鏡板プレナム内に流入するために下方から半径方向に沿って内方へと方向を変えなければならない。その流れパターンは複雑で乱れている。このような乱流の問題を克服するため、公知の原子炉における下流側の測定点は、流れパターンがそれほど複雑でなくかつより安定しているシュラウドの内側に位置している。しかるに、このような測定点における圧力は（ただ１基のＲＩＰではなく）複数のＲＩＰを通る流量の関数である。それ故、原子炉内の個々のポンプの性能を直接に測定することはできない。その上、測定の精度は下流側の測定点の正確な位置によって影響される。更に、測定の精度は試験ループが原子炉のパラメータ及び形状をいかに良く再現するかにも依存する。ＲＩＰの下流側における沸騰水型原子炉の形状を変化させると、試験ループの較正結果も変化することになる。
【０００６】
【発明が解決しようとする課題】
そこで、シュラウド支持体及び下部鏡板プレナムの幾何学的形状とは無関係の較正曲線に基づいて沸騰水型原子炉内の各々のＲＩＰを通る流量を正確に測定することが望まれているのである。
【０００７】
【課題を解決するための手段】
原子炉圧力容器の幾何学的形状とは無関係の較正曲線に基づいて各々のＲＩＰを通る流量の測定を可能にする原子炉用の原子炉圧力容器は、各々のＲＩＰ内に達する少なくとも１つの圧力タップを含んでいる。一実施形態に従えば、かかる原子炉圧力容器は側壁、炉心シュラウド、下部鏡板、及び下部鏡板に取付けられた下部鏡板ペタルを含んでいる。下部鏡板ペタルは、炉心シュラウド支持体フランジ、原子炉側壁フランジ、及びシュラウド支持体フランジと側壁フランジとの間に広がる原子炉インターナルポンプデッキを含んでいる。ポンプデッキは、ＲＩＰを収容するためにそれを貫通して延びる少なくとも１つの開口を有している。
【０００８】
上記の原子炉圧力容器は、少なくとも１基の原子炉インターナルポンプも含んでいる。各々のＲＩＰは、ポンプデッキ開口を貫通して配置されている。各々のポンプはインペラ及びディフューザを含んでいる。ディフューザはハウジングを含み、ハウジングはそれの長手方向に沿ってそれを貫通する複数の流路を規定する外壁及び複数の転向羽根を含んでいる。また、少なくとも２個のシールリングがハウジング外壁の外面を取巻いて円周方向に延びている。かかるシールリングはポンプデッキ開口の内面と係合し、それによってバイパス漏れを低減させるための封止構造を形成する。各々のシールリングは、隣接するシールリングから長手方向に沿って離隔している。ハウジング外壁の外面は、複数の円周方向溝を含んでいる。各々の円周方向溝は、シールリングを受入れるように寸法決定されている。
【０００９】
少なくとも１つの横穴が、ハウジングの外壁を通ってディフューザハウジングの流路内に延びている。各々の横穴は２個の互いに隣接したシールリング間の区域内に配置されると共に、各々のシールリング間区域は１つの横穴を含んでいる。また、少なくとも１つの圧力タップ穴が下部鏡板ペタルの外面からポンプデッキを通ってポンプデッキ開口の内面まで延びている。各圧力タップ穴は、対応する横穴を含む区域と整列している。原子炉圧力容器は、原子炉圧力容器の側壁を貫通して延びる少なくとも１つの圧力タップ穴をも含んでいる。各側壁圧力タップはＲＩＰの取入れ口の上方に配置されている。
【００１０】
各々のＲＩＰを通る流量を測定するためには、ＲＩＰの上流側にある圧力容器側壁圧力タップの位置で圧力測定が行われる。また、下部鏡板ペタルを貫通して延びる圧力タップを用いてポンプディフューザ内の圧力測定が行われる。次いで、差圧が計算される。ＲＩＰの工場受入れ試験の際に作成された較正曲線を使用することにより、差圧がポンプ流量に変換される。
【００１１】
上記のごとき原子炉圧力容器及び流量測定装置は、各々のＲＩＰの較正された流量測定を可能にする。上記の流量測定装置は、各々のＲＩＰの工場試験に際し、炉心シュラウド支持体及び下部鏡板の幾何学的形状を再現した特殊な試験設備の必要なしに流量／圧力ヘッド曲線の作成を可能にする。更に、ディフューザハウジングを取巻いて円周方向に延びかつポンプデッキ開口の内面と係合するシールリングは、保守のためにポンプを取外すことを可能にする。
【００１２】
【発明の実施の形態】
図１は、沸騰水型原子炉の原子炉圧力容器（ＲＰＶ）１０の部分切欠き断面図である。ＲＰＶ１０は概して円筒形の形状を有していて、それの一端は下部鏡板１２によって閉鎖され、かつ他端は着脱自在の上部鏡板１４によって閉鎖されている。下部鏡板１２からは下部鏡板ペタル１６が延び、ＲＰＶ１０の側壁１８を支持している。円筒形の炉心シュラウド２０が炉心２２を包囲し、シュラウド支持体２４により支持されている。シュラウド２０と側壁１８との間には環状空間２６が形成されている。シュラウド２０と下部鏡板ペタル１６との間には、リング状のシュラウド支持体原子炉インターナルポンプデッキ２８が延びている。ポンプデッキ２８は複数り円形開口３０を含んでいて、各々の開口には原子炉インターナルポンプ（ＲＩＰ）３２が収容されている。原子炉インターナルポンプ３２は、ＲＰＶ１０内の水を環状空間２６及び炉心２２に流すために役立つ。
【００１３】
核分裂性物質の燃料バンドル３４を含む炉心２２の内部では熱が発生する。炉心２２を通って上向きに水は、少なくとも部分的に蒸気に変えられる。汽水分離器３６によって水から蒸気が分離され、水は再循環される。蒸気中の残留水は蒸気乾燥器３８によって除去される。かかる蒸気は、上部鏡板１４の近くの蒸気出口４０を通ってＲＰＶ１０から流出する。
【００１４】
炉心２２内で発生する熱の量は、中性子吸収材（たとえば、ハフニウム）から成る制御棒を出し入れすることによって調整される。制御棒４２が燃料バンドル３４内に挿入される程度に応じ、制御棒４２は本来ならば炉心２２内で熱を発生する連鎖反応を促進するために利用し得る中性子を吸収する。制御棒４２の出し入れに際しては、制御棒案内管４４によって制御棒４２の鉛直運動が維持される。制御棒４２の出し入れは制御棒駆動機構４６によって達成される。なお、制御棒駆動機構４６は下部鏡板１２を貫通して延びている。
【００１５】
燃料バンドル３４は、炉心２２の底部に位置する炉心支持板４８によって整列させられる。また、燃料バンドル３４を炉心２２内に降下させる際には上部案内板５０がそれらを整列させる。炉心支持板４８及び上部案内板５０は、炉心シュラウド２０によって支持されている。
【００１６】
図２、図３、図４及び図５に示す実施形態では、原子炉インターナルポンプ３２はインペラ５２と、インペラ５２に連結された駆動軸５４と、ディフューザ５６とを含んでいる。ディフューザ５６は、外壁６０を有するハウジング５８と、ハウジング５８の長手方向に沿ってそれの第１の末端６４から第２の末端６６まで延びる複数の流路６２を規定する複数の転向羽根とを含んでいる。駆動軸ハウジング６８は、ハウジング５８の第２の末端６６からハウジング５８内に部分的に延びている。駆動軸５４は、駆動軸ハウジング６８及び下部鏡板ペタル１６の開口７０を貫通して延びている。駆動軸５４は、ＲＩＰ電動機７２に対して機能的に連結されている。ＲＩＰ３２は、保守のためにインペラ５２、駆動軸５４及びディフューザ５６をＲＰＶ１０から取外し得るように構成されている。
【００１７】
ディフューザハウジングの外壁６０の外面７４は、溝７６、７８、８０及び８２を含んでいる。溝７６、７８、８０及び８２は互いに離隔していると共に、ハウジングの外壁６０を取巻いて円周方向に延びている。溝７６、７８、８０及び８２の中には、シールリング８４、８６、８８及び９０がそれぞれ配置されている。シールリング８４、８６、８８及び９０は、ポンプデッキ開口３０の内面９２と係合して封止構造を形成し、それによりＲＩＰ３２の周囲における水のバイパス漏れを低減させる。
【００１８】
ディフューザハウジング５８は、ハウジングの外壁６０を横方向に貫通して外面７４から流路６２まで延びる横穴９４をも含んでいる。横穴９４は、シールリング８６及び８８の間の区域内に位置している。横穴９４の寸法は、長手方向のディフューザハウジング流路６２内の圧力が外壁６０、シールリング８６、シールリング８８、及びポンプデッキ開口３０の内面９２によって形成された環状キャビティ９６内の圧力に等しくなるように決定されている。横穴９４は流路６２及び環状キャビティ９６と連通している。第１の圧力タップ９８が、下部鏡板ペタル１６の外面１００から下部鏡板ペタル１６及びポンプデッキ２８を貫通してポンプデッキ開口３０の内面９２まで延びている。圧力タップ９８は、環状キャビティ９６と整列しかつそれと連通するように配置されている。なお、横穴９４に隣接した流路６２内の圧力は環状キャビティ９６内の圧力に等しいから、圧力タップ９８を横穴９４と整列させる必要はない。
【００１９】
また、ＲＩＰ３２の上流側の位置で、第２の圧力タップ１０２がＲＰＶの側壁１８を貫通して環状空間２６内に延びている。第１の圧力タップ９８及び第２の圧力タップ１０２の位置で測定される圧力間の差は、ＲＩＰ３２を通る流量と直接に関係している。なお、ＲＰＶ１０内へのＲＩＰ３２の設置に先立つＲＩＰ３２のプラント受入れ試験に際して較正曲線が作成される。
【００２０】
ディフューザ５６内でインペラ５２が回転すると、水は環状空間２６からＲＩＰ３２を通って炉心２２内に送り込まれる。各々のＲＩＰ３２を通る流量を測定するためには、第１の圧力タップ９８及び第２の圧力タップ１０２の位置で圧力が測定される。第１の圧力タップ９８及び第２の圧力タップ１０２の位置で得られた圧力測定値から差圧（ΔＰ）が計算される。各々のＲＩＰ３２に関して作成された、ΔＰと流量とを関係づける較正曲線を使用することにより、各々のＲＩＰ３２内の流量を求めることができる。
【００２１】
図６及び図７に、別の実施形態に係る原子炉インターナルポンプ（ＲＩＰ）１１０を示す。ＲＩＰ１１０はＲＩＰ３２と同様なものであって、インペラ１１２と、インペラ１１２に連結された駆動軸１１４と、ディフューザ１１６とを含んでいる。ディフューザ１１６は、外壁１２０を有するハウジング１１８と、ハウジング１１８の長手方向に沿ってそれの第１の末端１２４から第２の末端１２６まで延びる複数の流路１２２を規定する複数の転向羽根１２１とを含んでいる。駆動軸ハウジング１２８は、ハウジング１１８の第２の末端１２６からハウジング１１８内に部分的に延びている。駆動軸１１４は、駆動軸ハウジング１２８及び下部鏡板ペタル１６の開口７０を貫通して延びている。駆動軸１２８は、ＲＩＰ電動機７２に対して機能的に連結されている。ＲＩＰ３２と同じく、ＲＩＰ１１２は保守のためにインペラ１１２、駆動軸１１４及びディフューザ１１６をＲＰＶ１０から取外し得るように構成されている。
【００２２】
ディフューザハウジングの外壁１２０の外面１３０は、溝１３２、１３４、１３６、１３８、１４０、１４２、１４４及び１４６を含んでいる。溝１３２、１３４、１３６、１３８、１４０、１４２、１４４及び１４６は互いに離隔していると共に、ハウジングの外壁１２０を取巻いて円周方向に延びている。溝１３２、１３４、１３６、１３８、１４０、１４２、１４４及び１４６の中には、シールリング１４８、１５０、１５２、１５４、１５６、１５８、１６０及び１６２がそれぞれ配置されている。シールリング１４８、１５０、１５２、１５４、１５６、１５８、１６０及び１６２は、ポンプデッキ開口３０の内面９２と係合して封止構造を形成し、それによりＲＩＰ１１０の周囲における水のバイパス漏れを低減させる。
【００２３】
ディフューザハウジング１１８は、ハウジングの外壁１２０を横方向に貫通して外面１３０から流路１２２まで延びる横穴１６４及び１６６をも含んでいる。横穴１６４はシールリング１５０及び１５２の間の区域内に位置し、横穴１６６はシールリング１５８及び１６０の間の区域内に位置している。横穴１６４の寸法は、インペラ１１２の直ぐ下流側における長手方向のディフューザハウジング流路１２２内の圧力が外壁１２０、シールリング１５０、シールリング１５２、及びポンプデッキ開口３０の内面９２によって形成された環状キャビティ１６８内の圧力に等しくなるように決定されている。横穴１６４は流路１２２及び環状キャビティ１６８と連通している。同様に、横穴１６６の寸法は、ハウジング１１８の第２の末端１２６に近い長手方向のディフューザハウジング流路１２２内の圧力が外壁１２０、シールリング１５８、シールリング１６０、及びポンプデッキ開口３０の内面９２によって形成された環状キャビティ１７０内の圧力に等しくなるように決定されている。横穴１６６は流路１２２及び環状キャビティ１７０と連通している。第１の圧力タップ１７２及び第２の圧力タップ１７４が、下部鏡板ペタル１６の外面１００から下部鏡板ペタル１６及びポンプデッキ２８を貫通してポンプデッキ開口３０の内面９２まで延びている。圧力タップ１７２は環状キャビティ１６８と整列しかつそれと連通するように配置され、圧力タップ１７４は環状キャビティ１７０と整列しかつそれと連通するように配置されている。なお、横穴１６４に隣接した流路１２２内の圧力は環状キャビティ１６８内の圧力に等しいから、圧力タップ１７２を横穴１６４と整列させる必要はない。同様に、横穴１６６に隣接した流路１２２内の圧力は環状キャビティ１７０内の圧力に等しいから、圧力タップ１７４を横穴１６６と整列させる必要はない。
【００２４】
ＲＩＰ１１０を通る流量を測定するためには、第１の圧力タップ１７２及び第２の圧力タップ１７４の位置で圧力が測定される。第１の圧力タップ１７２及び第２の圧力タップ１７４の位置で得られた圧力測定値から差圧（ΔＰ）が計算される。ＲＩＰ１１０に関して作成された、ΔＰと流量とを関係づける校正曲線を使用することにより、ＲＩＰ１１０内の流量を求めることができる。ＲＩＰ１１０はハウジングの外壁１２０を貫通する２つの横穴１６４及び１６６を含むから、ＲＩＰ１１０を通る流量を測定するためにＲＰＶの側壁１８を貫通する独立の圧力タップを設ける必要はない。
【００２５】
更に別の実施形態に従えば、ＲＩＰ３２及びＲＩＰ１１０は各々の横穴の上方及び下方に配置された１個、３個又は４個のシールリングを含むことができる。なお、上記のごとく、ＲＩＰ３２及びＲＩＰ１１０は各々の横穴の上方及び下方に配置された２個のシールリングを含んでいる。
【００２６】
上記のごとき原子炉インターナルポンプ３２及び１１０は、ＲＰＶ１０内の各々のＲＩＰに関して較正された流量測定を可能にする。各々のＲＩＰの工場試験に際して作成された較正曲線を使用することにより、炉心シュラウド支持体２４及び下部鏡板１２の幾何学的形状を再現した特殊な試験設備の必要なしにＲＩＰ３２又は１１０の流量測定値が得られる。また、上記のごとき原子炉インターナルポンプ３２及び１１０は、複数のＲＩＰを含む原子炉で個々のＲＩＰ性能の監視をも可能にする。更に、上記のごとき原子炉インターナルポンプ３２及び１１０は通常のＲＩＰ保守手順に基づく保守を可能にする。
【００２７】
以上、様々な特定の実施形態に関連して本発明を説明しかつ例示したが、特許請求の範囲の精神及び範囲から逸脱しない限り、それらに変更を加えながら本発明を実施し得ることは当業者にとって自明であろう。
【図面の簡単な説明】
【図１】沸騰水型原子炉の原子炉圧力容器の部分切欠き断面図である。
【図２】本発明の一実施形態に係る原子炉インターナルポンプの側断面図である。
【図３】図２に示す原子炉インターナルポンプの分解図である。
【図４】図２に示す原子炉インターナルポンプの一部分の拡大図である。
【図５】図４の区域Ａの拡大図である。
【図６】本発明の別の実施形態に係る原子炉インターナルポンプの側断面図である。
【図７】図６に示す原子炉インターナルポンプの一部分の拡大図である。
【符号の説明】
１０  原子炉圧力容器
１２  下部鏡板
１４  上部鏡板
１６  下部鏡板ペタル
１８  側壁
２４  シュラウド支持体
２８  原子炉インターナルポンプデッキ
３０  ポンプデッキ開口
３２  原子炉インターナルポンプ
５２  インペラ
５６  ディフューザ
５８  ディフューザハウジング
６０  ハウジングの外壁
６１  転向羽根
６２  流路
７４  ディフューザの外面
７６  溝
７８  溝
８０  溝
８２  溝
８４  シールリング
８６  シールリング
８８  シールリング
９０  シールリング
９２  ポンプデッキ開口の内面
９４  横穴
９８  第１の圧力タップ
１００  下部鏡板ペタルの外面
１０２  第２の圧力タップ
１４８  シールリング
１５０  シールリング
１５２  シールリング
１５４  シールリング
１５６  シールリング
１５８  シールリング
１６０  シールリング
１６２  シールリング
１６４  第１の横穴
１６６  第２の横穴
１７２  第１の圧力タップ
１７４  第２の圧力タップ
【図１】
0004441110.tif 000002
【図２】
0004441110.tif 000003
【図３】
0004441110.tif 000004
【図４】
0004441110.tif 000005
【図５】
0004441110.tif 000006
【図６】
0004441110.tif 000007
【図７】
0004441110.tif 000008